(57)【要約】【課題】洗浄槽内の上部に配置される上かご６が、センターノズルに接近、離間する方向に移動可能なスライド体６１と、スライド体６１に起伏自在に連結した外側と内側の一対のかご部６２，６３とを備えるものにおいて、各かご部６２，６３が起立した不使用姿勢から不用意に倒れることを防止できるようにする。【解決手段】一対のかご部６２，６３を夫々不使用姿勢に係止可能とする。外側のかご部６２の係止手段６４は、外側のかご部６２に設けられた係合部６４１と、このかご部６２を不使用姿勢にした状態で係合部６４１が係合可能な、スライド体６１に設けられた被係合部６４２とで構成され、内側のかご部６３の係止手段６５は、内側のかご部６３に設けられた係合部６５１と、両かご部６２，６３を不使用姿勢にした状態で係合部６５１が係合可能な、外側のかご部６２に設けられた被係合部６５２とで構成される。【選択図】図２
2020116218.tif 000002
【特許請求の範囲】
【請求項１】
前面が開放されたハウジング内に前方に引き出し自在に収納される洗浄槽と、洗浄槽内に設けられる食器類を支持する食器かごと、洗浄槽内に設けられる洗浄ノズルとを備える食器洗浄機であって、洗浄ノズルは、洗浄槽内の中央部で上方にのびるセンターノズルを有し、食器かごは、洗浄槽内の下部に配置される下かごと、洗浄槽内の上部に配置される上かごとを有するものにおいて、
上かごは、洗浄槽に対し平面視でセンターノズルに接近、離間する方向に移動可能なスライド体と、スライド体に連結した、平面視でセンターノズルから遠い外側とセンターノズルに近い内側との一対のかご部とを備え、外側と内側の各かご部は、食器類を支持可能な使用姿勢と、他のかご部側に起立させた不使用姿勢とに起伏自在であり、外側と内側の一対のかご部を夫々不使用姿勢に係止可能な一対の係止手段を備えることを特徴とする食器洗浄機。
【請求項２】
前記一対の係止手段のうち前記外側のかご部を不使用姿勢に係止可能なものを第１係止手段、前記内側のかご部を不使用姿勢に係止可能なものを第２係止手段として、第１係止手段は、外側のかご部に設けられた第１係合部と、外側のかご部を不使用姿勢にした状態で第１係合部が係合可能な、スライド体に設けられた第１被係合部とで構成され、第２係止手段は、内側のかご部に設けられた第２係合部と、外側と内側の一対のかご部を共に不使用姿勢にした状態で第２係合部が係合可能な、外側のかご部に設けられた第２被係合部とで構成されることを特徴とする請求項１記載の食器洗浄機。
【発明の詳細な説明】
【技術分野】
【０００１】
本発明は、前面が開放されたハウジング内に前方に引き出し自在に収納される洗浄槽と、洗浄槽内に設けられる食器類を支持する食器かごと、洗浄槽内に設けられる洗浄ノズルとを備える食器洗浄機に関する。
【背景技術】
【０００２】
元来、この種の食器洗浄機において、洗浄ノズルは、洗浄槽内の中央部で上方にのびるセンターノズルを有している。また、食器かごは、洗浄槽内の下部に配置される下かごと、洗浄槽内の上部に配置される上かごとを有している。また、従来、上かごを、洗浄槽に対し平面視でセンターノズルに接近、離間する方向に移動可能なスライド体と、スライド体に連結したかご部とを備えるものとし、上かごのかご部を下かごの所定部分の上方位置から移動させた状態で、下かごの所定部分に上方から食器類を載置することができるようにし、更に、上かごのかご部を、食器類を支持可能な使用姿勢と起立した不使用姿勢とに起伏自在とし、このかご部を不使用姿勢にすることで、その下方の下かごの部分に大きな食器類を載置できるようにしたものが知られている（例えば、特許文献１参照）。
【０００３】
然し、上記従来例のものでは、上かごのかご部を不使用姿勢に係止することができず、以下の不具合を生ずる。即ち、不使用姿勢にした上かごのかご部が、洗浄槽の引き出し操作や押し込み操作に際し不用意に倒れて、下かごに載置した大きな食器類に当接し、異音が発生したり、食器類の破損を生ずる恐れがある。
【先行技術文献】
【特許文献】
【０００４】
【特許文献１】特開２０１７−１７６３１９号公報
【発明の概要】
【発明が解決しようとする課題】
【０００５】
本発明は、以上の点に鑑み、上かごのかご部が不使用姿勢から不用意に倒れることを防止できるようにした食器洗浄機を提供することをその課題としている。
【課題を解決するための手段】
【０００６】
上記課題を解決するために、本発明は、前面が開放されたハウジング内に前方に引き出し自在に収納される洗浄槽と、洗浄槽内に設けられる食器類を支持する食器かごと、洗浄槽内に設けられる洗浄ノズルとを備える食器洗浄機であって、洗浄ノズルは、洗浄槽内の中央部で上方にのびるセンターノズルを有し、食器かごは、洗浄槽内の下部に配置される下かごと、洗浄槽内の上部に配置される上かごとを有するものにおいて、上かごは、洗浄槽に対し平面視でセンターノズルに接近、離間する方向に移動可能なスライド体と、スライド体に連結した、平面視でセンターノズルから遠い外側とセンターノズルに近い内側との一対のかご部とを備え、外側と内側の各かご部は、食器類を支持可能な使用姿勢と、他のかご部側に起立させた不使用姿勢とに起伏自在であり、外側と内側の一対のかご部を夫々不使用姿勢に係止可能な一対の係止手段を備えることを特徴とする。
【０００７】
本発明によれば、上かごの外側と内側の一対のかご部を何れも不使用姿勢に係止することができる。そのため、洗浄槽の引き出し操作や押し込み操作に際し上かごの各かご部が不用意に不使用姿勢から倒れることはなく、各かご部が下かごに載置した食器類に当たることで異音が発生したり食器類が破損することを防止できる。
【０００８】
ところで、外側のかご部を使用姿勢、内側のかご部を不使用姿勢として、内側のかご部に対応する下かごの部分に大きな食器類を載置した場合、この食器類に邪魔されてセンターノズルから噴射される洗浄水が外側のかご部に載置した食器類に届かず、外側のかご部に載置した食器類の洗浄不良を生ずる。従って、内側のかご部を不使用姿勢にするときには、外側のかご部も不使用姿勢にして、外側のかご部に食器類を過って載置することがないようにすべきである。
【０００９】
従って、本発明においては、上記一対の係止手段のうち外側のかご部を不使用姿勢に係止可能なものを第１係止手段、内側のかご部を不使用姿勢に係止可能なものを第２係止手段として、第１係止手段は、外側のかご部に設けられた第１係合部と、外側のかご部を不使用姿勢にした状態で第１係合部が係合可能な、スライド体に設けられた第１被係合部とで構成され、第２係止手段は、内側のかご部に設けられた第２係合部と、外側と内側の一対のかご部を共に不使用姿勢にした状態で第２係合部が係合可能な、外側のかご部に設けられた第２被係合部とで構成されることが望ましい。これによれば、内側のかご部を第２係止手段で不使用姿勢に係止する際には、外側のかご部も不使用姿勢に係止されることになり、外側のかご部に食器類を過って載置してしまうことを防止できる。
【図面の簡単な説明】
【００１０】
【図１】本発明の実施形態の食器洗浄機の切断側面図。
【図２】（ａ）（ｂ）（ｃ）実施形態の食器洗浄機に設けられた上かごの各種使用態様を示す斜視図。
【図３】実施形態の食器洗浄機に設けられた上かごの分解状態の斜視図。
【発明を実施するための形態】
【００１１】
図１に示す本発明の実施形態の食器洗浄機は、システムキッチンに組み込んで設置されるビルトイン式のものであり、前面が開放されたハウジング１内に前方に引出し自在に収納される洗浄槽２を備えている。洗浄槽２内には、食器類を支持する後述する食器かごが収納されると共に、食器かごに向けて洗浄水を噴射する洗浄ノズル３が設けられている。尚、洗浄槽２の前面には、ハウジング１の前面を閉塞する前蓋２１が取付けられている。また、ハウジング１内の上部には、洗浄槽２の開放された上面を閉塞するシール蓋１１が設けられている。
【００１２】
洗浄槽２の底部には、残菜フィルタ２２を介して洗浄槽２内に連通する洗浄水の溜り部２３が設けられている。洗浄槽２の底部下側には、溜り部２３に連通する洗浄ポンプ４が設置されている。そして、洗浄ポンプ４を正転させたとき、洗浄槽２内の洗浄水が溜り部２３と洗浄ポンプ４とを介して洗浄ノズル３に供給され、洗浄ポンプ４を逆転させたとき、洗浄水が洗浄槽２から排水されるようにしている。
【００１３】
洗浄ノズル３は、洗浄槽２の下部で水平方向にのび、長手方向中央部で鉛直軸線回りに旋回自在に支持される下ノズル３１と、下ノズル３１の長手方向中央部に立設された、洗浄槽２の中央部で上方にのびるセンターノズル３２とを有している。下ノズル３１は、これに形成したノズル孔３１１から洗浄水を噴射し、この噴射反力により旋回する。センターノズル３２は、下ノズル３１に一体の下半部３２ａと、下半部３２ａに上下動自在に内挿した上半部３２ｂとで構成され、上下方向に伸縮自在である。洗浄ポンプ４から洗浄水が供給されると、上半部３２ｂが図１に仮想線で示す如く洗浄水の水圧に押されて上動し、センターノズル３２が上方に伸張する。そして、下半部３２ａの上端部に形成したノズル孔３２１と上半部３２ｂに形成したノズル孔３２２とから洗浄水が噴射される。尚、センターノズル３２は、下半部３２ａのみで構成されるものであってもよい。
【００１４】
また、食器かごとして、洗浄槽２の下部に、下ノズル３１の上方に位置させて配置された下かご５と、洗浄槽２の上部であって、センターノズル３２の前方に隣接した部分に配置される上かご６と、センターノズル３２の後方に隣接した部分に配置される第２の上かご７とが設けられている。更に、下かご５には、これに載置する食器類がセンターノズル３２に干渉することを防止できるように、センターノズル３２を囲うノズルガード枠５１が立設されている。
【００１５】
図２、図３を参照して、上かご６は、洗浄槽２に対し平面視でセンターノズル３２に接近、離間する方向、即ち、前後方向に移動可能なスライド体６１と、スライド体６１に連結した、平面視でセンターノズル３２から遠い外側とセンターノズル３２に近い内側との一対のかご部６２，６３とを備えている。これら各かご部６２，６３は、食器類を支持可能な使用姿勢（図２（ａ）に示す姿勢）と、他のかご部６３，６２側に起立させた不使用姿勢（図２（ｂ）（ｃ）に示す姿勢）とに起伏自在である。
【００１６】
具体的に説明すれば、洗浄槽２内に着脱自在に装着されるレール枠２４を設けて、このレール枠２４にスライド体６１を前後方向に移動自在に支持させている。レール枠２４は、前後方向に長手の左右一対のレール部２４１，２４１を有している。スライド体６１は、左右のレール部２４１，２４１に沿って前後方向に移動する左右一対の摺動部６１１，６１１と、両摺動部６１１，６１１に跨る横方向に長手の棒から成る支軸６１２とを有している。各摺動部６１１には、各レール部２４１に係合する前後一対のローラ６１３，６１３が設けられている。また、支軸６１２には、外側と内側のかご部６２，６３に載置した食器類が洗浄ノズル３から噴射される洗浄水の勢いで浮き上がることを抑制する門形の押え枠６１４が、左右両端のハトメ部６１４ａ，６１４ａにおいて起伏自在に連結されている。
【００１７】
外側のかご部６２には、使用姿勢でセンターノズル３２に近い内方端となる部分の左右両側部に位置して、支軸６１２の左右両端部が隙間を存して挿入されるハトメ部６２１，６２１が設けられ、更に、使用姿勢で外方端となる部分の左右両側部に位置して、使用姿勢にしたときに左右のレール部２４１，２４１の上に着座するストッパ部６２２，６２２が設けられている。そのため、外側のかご部６２は、支軸６１２にハトメ部６２１，６２１を介して、使用姿勢と内側のかご部６３側に起立した不使用姿勢とに起伏自在に支持され、且つ、使用姿勢を超えて下方に倒れることがストッパ部６２２，６２２で阻止される。
【００１８】
同様に、内側のかご部６３には、使用姿勢でセンターノズル３２から遠い外方端となる部分の左右両側部に位置して、支軸６１２の左右両端部が隙間を存して挿入されるハトメ部６３１，６３１が設けられ、更に、使用姿勢で内方端となる部分の左右両側部に位置して、使用姿勢にしたときに左右のレール部２４１，２４１の上に着座するストッパ部６３２，６３２が設けられている。そのため、内側のかご部６３は、支軸６１２にハトメ部６３１，６３１を介して使用姿勢と外側のかご部６２側に起立した不使用姿勢とに起伏自在に支持され、且つ、使用姿勢を超えて下方に倒れることがストッパ部６３２，６３２で阻止される。
【００１９】
ここで、図２（ｂ）に示す如く、外側のかご部６２を不使用姿勢にした状態でスライド体６１を前方に移動させたり、図２（ｃ）に示す如く、外側のかご部６２と内側のかご部６３とを共に不使用姿勢にした状態でスライド体６１を前方に移動させたりすることで、本来であれば上かご６で覆われる下かご５の部分に大きな食器類を載置することができる。但し、洗浄槽２の引き出し操作や押し込み操作に際し、各かご部６２，６３が不使用姿勢から不用意に倒れると、各かご部６２，６３が食器類に当たって異音が発生したり、食器類が破損する恐れがある。
【００２０】
そこで、外側のかご部６２を不使用姿勢に係止可能な第１係止手段６４と、内側のかご部６３を不使用姿勢に係止可能な第２係止手段６５とを設けている。以下、第１と第２の各係止手段６４，６５について具体的に説明する。
【００２１】
第１係止手段６４は、外側のかご部６２に設けられた第１係合部６４１と、外側のかご部６２を不使用姿勢にした状態で第１係合部６４１が係合可能な、スライド体６１に設けられた第１被係合部６４２とで構成される。第１係合部６４１は、外側のかご部６２の不使用姿勢で下方に位置する横棒部の左右の各端部で構成される。また、第１被係合部６４２は、支軸６１２の左右の各端部寄りの部分に設けられた、前後方向の隙間を存して起立する前後一対の起立片６４２ａ，６４２ｂで構成される。そして、外側のかご部６２を不使用姿勢に起立させた状態で、支軸６１２に対するハトメ部６２１の遊び分だけ外側のかご部６２を持ち上げることにより、第１係合部６４１を前後の起立片６４２ａ，６４２ｂ間の隙間の直上位置に変位させ、この状態から外側のかご部６２を下降させることにより、第１係合部６４１を前後の起立片６４２ａ，６４２ｂ間に挿入して第１被係合部６４２に係合させ、外側のかご部６２を不使用姿勢に係止するようにしている。
【００２２】
第２係止手段６５は、内側のかご部６３に設けられた第２係合部６５１と、外側と内側のかご部６２，６３を共に不使用姿勢にした状態で第２係合部６５１が係合可能な、外側のかご部６２に設けられた第２被係合部６５２とで構成される。より具体的に説明すれば、第２係合部６５１は、内側のかご部６３の不使用姿勢で上方に位置する横棒部の中央部から前方に突出するコ字状部材で構成される。また、第２被係合部６５２は、外側のかご部６２の不使用姿勢で上方に位置する横棒部の中央部から上方に突出する棒部で構成される。そして、外側と内側のかご部６２，６３を共に不使用姿勢に起立させた状態で、支軸６１２に対するハトメ部６３１の遊び分だけ内側のかご部６３を持ち上げることにより、第２係合部６５１を第２被係合部６５２の直上位置に変位させ、この状態から内側のかご部６３を下降させることにより、第２係合部６５１を第２被係合部６５２に外嵌するように係合させ、内側のかご部６３を不使用姿勢に係止するようにしている。
【００２３】
以上の構成によれば、上かご６の外側と内側のかご部６２，６３を何れも第１と第２の各係止手段６４，６５により不使用姿勢に係止することができる。そのため、洗浄槽２の引き出し操作や押し込み操作に際し上かご６の各かご部６２，６３が不用意に不使用姿勢から倒れることはなく、各かご部６２，６３が下かご５に載置した食器類に当たることで異音が発生したり食器類が破損することを防止できる。
【００２４】
ところで、外側のかご部６２を使用姿勢、内側のかご部６３を不使用姿勢として、内側のかご部６３に対応する下かご５の部分にフライパン等の大きな食器類を載置した場合、この食器類に邪魔されてセンターノズル３２から噴射される洗浄水が外側のかご部６２に載置した食器類に届かず、外側のかご部６２に載置した食器類の洗浄不良を生ずる。従って、内側のかご部６３を不使用姿勢にするときには、外側のかご部６２も不使用姿勢にして、外側のかご部６２に食器類を過って載置することがないようにすべきである。本実施形態では、内側のかご部６３を第２係止手段６５で不使用姿勢に係止する際には、外側のかご部６２も不使用姿勢に係止されることになり、外側のかご部６２に食器類を過って載置してしまうことを防止できる。
【００２５】
以上、本発明の実施形態について図面を参照して説明したが、本発明はこれに限定されない。例えば、上記実施形態では、外側のかご部６２と内側のかご部６３とをスライド体６１に設けた共通の支軸６１２に起伏自在に連結しているが、外側と内側の各かご部６２，６３をスライド体６１に設けた各別の支軸に起伏自在に連結してもよい。また、上記実施形態では、上かご６のスライド体６１を洗浄槽２内に着脱自在に装着されるレール枠２４に前後方向に移動自在に支持させているが、スライド体６１の支持部を洗浄槽２に一体的に設けることも可能である。但し、上記実施形態によれば、上かご６をレール枠２４と一緒に洗浄槽２から取外すことができ、利便性が向上する。また、洗浄槽２内の上部のセンターノズル３２の横方向に隣接する部分に配置される上かごであって、平面視でセンターノズル３２に接近、離間する方向、即ち、横方向に移動自在なスライド体と、スライド体に連結した横方向外側と内側の一対のかご部とを備える場合にも、同様に本発明を適用できる。
【符号の説明】
【００２６】
１…ハウジング、２…洗浄槽、３…洗浄ノズル、３２…センターノズル、５…下かご、６…上かご、６１…スライド体、６２…外側のかご部、６３…内側のかご部、６４…第１係止手段、６４１…第１係合部、６４２…第１被係合部、６５…第２係止手段、６５１…第２係合部、６５２…第２被係合部。
【図１】
2020116218.tif 000003
【図２】
2020116218.tif 000004
【図３】
2020116218.tif 000005